【事件の表示】
　特願２００４−２１４７４０「遊技機」拒絶査定不服審判事件〔平成１８年　２月　９日出願公開、特開２００６−　３４３５８〕について、次のとおり審決する。
【結　論】
　本件審判の請求は、成り立たない。
【理　由】
　
第一、手続きの経緯
　本願は、平成１６年７月２２日の出願であって、平成２１年１０月２８日付けで拒絶理由が通知され、これに対し、同年１２月１６日付けで手続補正がなされ、平成２２年３月３日付けで拒絶査定がなされ、これに対し、同年５月２４日付けで拒絶査定不服の審判請求がなされるとともに、同日付けで手続補正がなされたものである。　
　
第二、平成２２年５月２４日付けの手続補正についての補正却下の決定
［補正却下の決定の結論］
　平成２２年５月２４日付けの手続補正（以下、「本件補正」という。）を却下する。
［理由］
　（１）補正前・後の本願発明　　
　本件補正は、補正前（平成２１年１２月１６日付け手続補正により補正された特許請求の範囲）の請求項１及び２のうち、請求項１に記載された、
　「【請求項１】
　遊技機の外郭を構成する基枠と、
　前記基枠に開閉可能に設けられた第１開閉枠と、
　前記第１開閉枠に開閉可能に設けられた第２開閉枠と、
　前記第２開閉枠の下側で開閉可能となるように前記第１開閉枠に設けられたパネル部材と、
　前記第１開閉枠に設けられ、第１開閉枠を前記基枠に及び前記第２開閉枠を第１開閉枠にそれぞれ施錠する施錠装置と、
　を備えた遊技機であって、
　前記パネル部材は、遊技球を貯える球皿を備えるとともに正面右上角部に切欠きが形成され、　
　前記施錠装置は、
　前記第１開閉枠に設けられた台座に取り付けられ鍵部材が挿入される鍵孔が前記切欠きから露出する錠部と、
　前記錠部の裏面から後方へ突出された回動軸の先端に設けられたセクターギヤと、
　前記セクターギヤと噛み合い上下方向にスライド可能とされた矩形平板状のラックと、
　前記第１開閉枠が前記基枠に閉塞された状態で基枠に設けられた一対の第１固定部に係合する一対の第１係合部材と、
　前記ラックの一端に連結され、前記一対の第１固定部に係合した前記一対の第１係合部材の各々の係合状態を保持し、且つ、前記錠部が前記鍵部材によって所定の解錠操作をされることにより前記一対の第１係合部材を連動させて前記一対の第１固定部に対する各々の係合状態を解除するとともに、一対の第１係合部材の一方が単独で係合解除操作されても他方は連動させずに係合状態を保持する第１リンク機構と、
　前記第２開閉枠が前記第１開閉枠に閉塞された状態で第２開閉枠に設けられた一対の第２固定部に係合する一対の第２係合部材と、
　前記ラックの他端に連結され、前記一対の第２固定部に係合した前記一対の第２係合部材の各々の係合状態を保持し、且つ、前記錠部が前記鍵部材によって前記所定の解錠操作とは異なる他の所定の解錠操作をされることにより前記一対の第２係合部材を連動させて前記一対の第２固定部に対する各々の係合状態を解除するとともに、一対の第２係合部材の一方が単独で係合解除操作されても他方は連動させずに係合状態を保持する第２リンク機構と、
　前記一対の第１係合部材、前記第１リンク機構、前記一対の第２係合部材、前記第２リンク機構、及び、前記錠部が組み付けられ、それらを一体化して前記第１開閉枠に取り付けるベースと、
　を有することを特徴とする遊技機。」を、
　
　「【請求項１】
　遊技機の外郭を構成する基枠と、
　前記基枠に開閉可能に設けられた第１開閉枠と、
　前記第１開閉枠に開閉可能に設けられた第２開閉枠と、
　前記第２開閉枠の下側で開閉可能となるように前記第１開閉枠に設けられたパネル部材と、
　前記第１開閉枠に設けられ、第１開閉枠を前記基枠に及び前記第２開閉枠を第１開閉枠にそれぞれ施錠する施錠装置と、
　を備えた遊技機であって、
　前記パネル部材は、遊技球を貯える球皿を備えるとともに正面右上角部に切欠きが形成され、　
　前記施錠装置は、
　
前記第１開閉枠の裏面に取り付けられる縦長矩形状の基板部に形成された貫通孔を通して、
、
　前記錠部の裏面から後方へ突出された回動軸の先端に設けられたセクターギヤと、
　前記セクターギヤと噛み合い上下方向にスライド可能とされた矩形平板状のラックと、
　前記第１開閉枠が前記基枠に閉塞された状態で基枠に設けられた一対の第１固定部に係合する一対の第１係合部材と、
　前記ラックの
上端部及び下端部
　前記第２開閉枠が前記第１開閉枠に閉塞された状態で
、前記基板部に形成された縦長のスリットを通して前方へ突出されるとともに前記
　前記ラックの
上端部
　
前記基板部と前記基板部の裏面視における右側端部から後方へ向けて直角に屈曲されて前記基板部に一体的に設けられた側板部とを有し、
　を有することを特徴とする遊技機。」と補正するものである（以下、補正後のものを「本願補正発明１」という。なお、下線部は補正部分である。）。
　
　上記補正は、　
　ａ）補正前の特許請求の範囲の請求項１に記載された発明を特定するために必要な事項である「錠部」の取付け状態について、「
第１開閉枠の裏面に取り付けられる縦長矩形状の基板部に形成された貫通孔を通して、
　ｂ）同「第１リンク機構」の連結態様について、「ラックの
上端部及び下端部
　ｃ）同「第２係合部材」の構成について、「
基板部に形成された縦長のスリットを通して前方へ突出されるとともに
　ｄ）同「第２リンク機構」の連結態様について、「ラックの
上端部
　ｅ）同「ベース」の構成について、「
基板部と前記基板部の裏面視における右側端部から後方へ向けて直角に屈曲されて前記基板部に一体的に設けられた側板部とを有し、
　本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　（２）そこで、上記「本願補正発明１」が特許出願の際独立して特許を受けることができるものであるのか（上記改正前の特許法第１７条の２第５項において準用する同法第１２６条第５項の規定に適合するか）について以下に検討する。
　
　（あ）先願明細書、特許請求の範囲又は図面に記載された発明及び周知刊行物に記載された発明
　先願１；特願２００４−１５８４６０号（特開２００５−３３４３７８号　　　　　公報参照）
　周知の刊行物ア；特開平８−１３１６４２号公報
　周知の刊行物イ；特開平８−１０７９７０号公報
　　
　原査定の拒絶理由に引用され、本願の出願日前の他の出願であって、その出願後に出願公開された、特願２００４−１５８４６０号の願書に最初に添付された明細書、特許請求の範囲又は図面（以下、「先願明細書等」という。）を掲載した公開特許公報（特開２００５−３３４３７８号公報参照）には、以下の記載がある。
　（１−１）「【発明の詳細な説明】
【技術分野】
【０００１】
  本発明は、パチンコ機の前面枠とガラス枠とをそれぞれ施錠するものであって、不正に遊戯されたパチンコ機の錠交換を極めて簡単且つ迅速に行なうことができるパチンコ機用枠施錠装置に関する。」、
　（１−２）「【発明を実施するための最良の形態】
【００１２】
  以下、本発明の実施形態を図面に基づいて説明する。パチンコ機は、図１０に示すように、機枠１９の前面に前面枠部２０が開閉自在に装着される。該前面枠部２０の前面にはガラス枠部２３が開閉自在に装着される。前記前面枠部２０の裏面には取付枠２１が固着され、該取付枠２１にパチンコ機構部２２が装着されている。また、前記前面枠部２０の裏面側で、開閉中心と反対側の位置にパチンコ機用枠施錠装置Ａが装着される。
【００１３】
  そのパチンコ機用枠施錠装置Ａは、図１（Ａ），（Ｂ），図２（Ａ），図３（Ａ）等に示すように、施錠ベース体１，前面枠施錠鉤部４，前面枠施錠リンク部５，ガラス枠施錠鉤部６，ガラス枠施錠リンク部７等から構成されたものである。その施錠ベース体１は、板状に形成された主側板１ａと従側板１ｂとから構成されており、前記主側板１ａと従側板１ｂとが略直角を構成している。
【００１４】
  すなわち、前記施錠ベース体１は、その長手方向に直交する断面形状が前記主側板１ａと従側板１ｂとによって、略「Ｌ」字形状に形成されたものである（図４参照）。その主側板１ａには、後述するラック８が摺動自在に装着されている。さらに、前記主側板１ａには、後述する押え部２が形成され、該押え部２により前記ラック８が主側板１ａ面上を所定の範囲において往復摺動自在となっている。その押え部２は、施錠ベース体１に一体的に形成されるものであって、後述するように折曲加工により形成される。」、
　（１−３）「【００１７】
  また、前記主側板１ａの長手方向の両端箇所には、図１（Ａ）乃至（Ｃ）に示すように、前面枠施錠鉤部４が揺動自在に枢支連結されている。具体的には、前記主側板１ａにおける前記前面枠施錠鉤部４の装着箇所は、主側板１ａの表面側に円形状の膨出部が形成され、該膨出部上に前面枠施錠鉤部４がリベット，ピン等の枢支部材１３により、枢支連結され、その前面枠施錠鉤部４は前記枢支部材１３を揺動中心として揺動するものである。その前面枠施錠鉤部４と前記ラック８との間には、前面枠施錠リンク部５が連結され、前記ラック８の往復の摺動動作に伴って前記前面枠施錠鉤部４が揺動動作する。その前面枠施錠リンク部５は、前記ラック８を中心として、２つ存在している。
【００１８】　
  そして、さらにその２つの前面枠施錠リンク部５，５は、図１（Ａ），（Ｂ），図２（Ａ）等に示すように、長手方向の長さが異なっている。これは、ラック８の装着位置が施錠ベース体１の長手方向の中央よりもいずれか一方側の端部寄りに位置しているからである。また、２つの前面枠施錠リンク部５，５のうち、図１（Ａ），（Ｂ），図９（Ａ）乃至（Ｃ）等に示すように、長手方向に長い前面枠施錠リンク部５は、複数のリンク材５ａ，５ａ，…が直列状に連結されて構成されたものであり、具体的には、２本のリンク材５ａ，５ａからなる２部材構成としている。これらリンク材５ａ，５ａは、その一方側のリンク材５ａにピン９が固着され、他方側のリンク材５ａに連結孔５ａ１が形成されて、このピン５ｂと連結孔５ａ１ により連結されるものであり、その連結孔５ａ１ は長孔状に形成されており、該連結孔５ａ１ 内を前記ピン９が摺動自在となっている。
【００１９】
  また、長手方向に短い前面枠施錠リンク部５は、一つのリンク材５ａのみで構成され、前記ラック８にピン９により連結されている。前記一つのリンク材５ａとラック８との連結が行なわれる箇所にも長孔状の連結孔５ａ１ が形成され、前記ピン９が摺動可能となっている。また、前面枠施錠リンク部５には、前記前面枠施錠鉤部４が起立している状態を維持する方向に付勢するようにスプリング材３が２つ前面枠施錠リンク部５，５と施錠ベース体１との間に掛け渡される。また、前記スプリング材３は前面枠施錠鉤部４と施錠ベース体１との間に掛け渡されることもある。そして、このピン連結箇所における長孔状の連結孔５ａ１ によって、隣接するリンク材５ａ，５ａ同士は、前面枠施錠リンク部５，５が開錠される方向とは反対側に移動するときには、そのラック８の往復動作が前記前面枠施錠鉤部４と直接連結しているリンク材５ａにまでは伝達されないようになっている。」、
　（１−４）「【００２０】
  さらに、前記主側板１ａには、その長手方向の両側箇所に２つのガラス枠施錠鉤部６，６が揺動自在となるようにリベット，ピン等の枢支部材１３により、枢支連結され、そのガラス枠施錠鉤部６は前記枢支部材１３を揺動中心として揺動するものである。さらに、そのガラス枠施錠鉤部６，６を揺動させるガラス枠施錠リンク部７がラック８との間にピン９，９を介して連結されている。さらに具体的には、前記２つのガラス枠施錠鉤部６，６は、前記ラック８の装着位置の一方側に適宜の間隔をおいて装着され、前記ガラス枠施錠リンク部７は、前記ラック８の長手方向の一端側，すなわち両ガラス枠施錠鉤部６，６が位置している側にピン９を介して枢支連結されている。
【００２１】
  そして、前記ガラス枠施錠リンク部７も前記前面枠施錠リンク部５と同様に、複数のリンク材７ａ，７ａ，…から構成されており、その複数のリンク材７ａ，７ａ，…が前記ピン９により連結されている。このリンク材７ａ，７ａ，…の連結孔７ａ１も前記連結孔５ａ１ と同様に長孔状に形成されている。そして、リンク材７ａ，７ａ同士のピン連結箇所における連結孔７ａ１により、隣接するリンク材７ａ，７ａ同士は、ガラス枠施錠鉤部６，６が開錠される方向とは反対側に移動するときには、そのラック８の往復動作がリンク材７ａ，７ａ，…に伝達されないようになっている。また、ガラス枠施錠リンク部７は、２つのガラス枠施錠鉤部６，６をリンク材７ａにて連結するものであるが、その両ガラス枠施錠鉤部６，６との間には２本のリンク材７ａ，７ａがピン連結されている。
【００２２】
  そして、両リンク材７ａ，７ａは、長孔状の連結孔５ａ１ とピン９により連結されている。そして、一方のガラス枠施錠鉤部６が鍵を使用しないで、不正な手段により強制的に開かれたとしても、前記リンク材７ａが隣接する他方側のリンク材７ａに動作を伝達せず、よって他方側のガラス枠施錠鉤部６を揺動させない仕組みとなっている。これによって、２つのガラス枠施錠鉤部６，６の一方が不正に開かれても、他方のガラス枠施錠鉤部６はロック状態を維持し、ガラス枠部２３が不正に開かれないようにしている。なお前記両ガラス枠施錠鉤部６，６は、ロック状態である直立状態を維持する方向に付勢するスプリング材３，３が施錠ベース体１との間に掛け渡されている。」、
　（１−５）「【００２３】
  このような構成によって、前記錠１０に挿入した鍵を１方向に回転させることで、鍵が錠軸１０ｃに回転を伝達し、その錠軸１０ｃに装着されたピニオン１１が回転して、ラック８を長手方向の１方側に沿って移動させ、前面枠施錠リンク部５を介して前面枠施錠鉤部４に揺動動作を伝達し、また前記鍵を前述とは反対方向に回転させることにより、ガラス枠施錠リンク部７を介して前記ガラス枠施錠鉤部６が揺動動作を行なうものである。また、前記鍵の正逆両回転で、前記前面枠施錠リンク部５及びガラス枠施錠リンク部７はそれぞれに形成された長孔状の連結孔５ａ１ 及び連結孔７ａ１ によって、前面枠施錠鉤部４とガラス枠施錠鉤部６とが同時に揺動することがないように、それぞれの動作を制御することができる。
【００２４】
  前記施錠ベース体１の従側板１ｂには、錠取付貫通部１ｃが形成されている。該錠取付貫通部１ｃは、前記主側板１ａのラック８装着位置に対応する位置に形成されたものである。その錠取付貫通部１ｃは、後述する錠１０の錠本体部１０ａが挿入されるものであって、錠本体部１０ａの断面形状に対応する形状となっている。すなわち、錠取付貫通部１ｃは、錠本体部１０ａの断面形状と特に同一とする必要はないが、前記錠本体部１０ａが挿入されたときに、適正な装着ができるように案内可能なものとしたものである。よって、錠取付貫通部１ｃの形状は、錠本体部１０ａと部分的に同一部分が存在するように形成されたものである。
【００２５】
  前記錠取付貫通部１ｃの付近には、前記フランジ部１０ｂの取付孔に対応する位置に複数の螺子孔１ｄ，１ｄが形成されている。また、前記従側板１ｂには、前記ガラス枠施錠鉤部６の先端が挿通且つ突出するように鉤用貫通孔が形成されている。前記錠１０の施錠ベース体１からの取り外しは、前記従側板１ｂの錠取付貫通部１ｃから主側板１ａ側に沿って引き出すことにより行なわれるものである。また、前記錠１０の施錠ベース体１への取付は、前記錠１０のフランジ部１０ｂが前記錠取付貫通部１ｃの周囲に当接されてビス等の固着具にて固着されるものである。」、
　（１−６）「【００２８】
  このラック８の施錠ベース体１への装着は、図４又は図６等に示すように、その枠状部８ｂが前記押え部２，２により主側板１ａに押さえられる構成となっている。このとき、前記ラック８は、長手方向に沿って往復摺動が滑らかに行なわれるように設置される。また、ラック８が施錠ベース体１から脱落しないように、ラック８の押え部２，２による支持とともに、施錠ベース体１の従側板１ｂ側によって、そのラック８の幅方向における支持がなされている（図４参照）。また、前記ラック８と前記前面枠施錠リンク部５及びガラス枠施錠リンク部７等との連結部位は、枠状部８ｂ側で行なわれる。具体的には、その枠状部８ｂの長手方向の両側端に、図５（Ａ），（Ｂ）に示すように、連結孔８ｄ，８ｄが形成され、該連結孔８ｄ，８ｄ箇所にて、前面枠施錠リンク部５のリンク材５ａ及びガラス枠施錠リンク部７のリンク材７ａとピン９を介して枢支連結されるものである。
【００２９】
  また、前記ラック８の構成としては、前述のような前記ラック歯部８ａと枠状部８ｂとから構成されるタイプ以外に、略ラック歯部８ａのみから形成されるタイプも存在する。このタイプでは、前記ラック歯部８ａの長手方向の両側箇所に前面枠施錠リンク部５のリンク材５ａと、前記ガラス枠施錠リンク部７のリンク材７ａとの枢支連結部が形成されることになる。
【００３０】
  次に、前記錠１０は、図６に示すように、錠本体部１０ａとフランジ部１０ｂから構成されており、前記錠本体部１０ａには錠軸１０ｃが装着され、該錠軸１０ｃが鍵の操作により回動する。そして、その錠軸１０ｃは錠本体部１０ａの外部に突出し、その突出した錠軸１０ｃ先端にピニオン１１が装着されビス，ボルト等により固定されている。そのピニオン１１は前記ラック８と噛み合うように設定され、前記錠軸１０ｃの回動とともに前記ピニオン１１が回動し、前記ラック８が往復摺動を行なうことができる。そのピニオン１１は、図３，図６等に示すように、円周の全体に亘って歯部成形領域１１ａが形成される必要はなく、略半周程度に亘って歯部成形領域１１ａが形成されていればよい。この錠１０は、フランジ部１０ｂが形成されている側を錠１０の正面側とする（図３，図４参照）。」、
　（１−７）「【００３３】
  そのパチンコ機用枠施錠装置Ａにおける施錠ベース体１の従側板１ｂが前記前面枠部２０に装着される。前面枠部２０には、前記錠１０の錠本体部１０ａが挿入する錠収納孔２０ａが形成され、その錠収納孔２０ａに収納された錠１０は、前記前面枠部２０の外部，すなわちガラス枠側から前記錠本体部１０ａに設けられた鍵穴が露出するようになっている。そして、作業員はその鍵穴から鍵操作を行い、ガラス枠部２３を開閉することができるようになっている。」。
　　
　（１−８）また、パチンコ機用枠施錠装置の平面図である【図１】（Ａ）に示された「前面枠施錠鉤部４」及び「施錠ベース体１」の位置・形状、及びパチンコ機用枠施錠装置を装着したパチンコ機における前面枠及びガラス枠をそれぞれ開いた状態の斜視図である【図１０】に示された「前面枠施錠鉤部４」の位置・形状及び「ラック８と、前面枠施錠鉤部４・前面枠施錠リンク部５のリンク材５ａ・ガラス枠施錠リンク部７のリンク材７ａとの位置関係」によれば、図面には、「上下方向に往復摺動自在なラック８の上下側に前面枠施錠リンク部５のリンク材５ａを配置」し、「上下方向に往復摺動自在なラック８の上側にガラス枠施錠リンク部７のリンク材７ａを配置」し、「主側板１ａは従側板１ｂの裏面視における右側端部の後方に位置」した技術事項が示されている。
　
　したがって、上記の記載事項を併せると、先願明細書等には、以下の発明が記載されていると認められる。
　
　「　機枠１９の前面に前面枠部２０が開閉自在に装着され、該前面枠部２０の前面にはガラス枠部２３が開閉自在に装着され、前記前面枠部２０の裏面側で、開閉中心と反対側の位置にパチンコ機用枠施錠装置Ａが装着される、パチンコ機であって、
　前記パチンコ機用枠施錠装置Ａは、パチンコ機の前面枠とガラス枠とをそれぞれ施錠するものであって、施錠ベース体１，前面枠施錠鉤部４，前面枠施錠リンク部５，ガラス枠施錠鉤部６，ガラス枠施錠リンク部７等から構成されたもので、
　（１）前記施錠ベース体１は、従側板１ｂと該従側板１ｂの裏面視における右側端部の後方に位置した主側板１ａとから、断面形状が略直角「Ｌ」字形状に構成され、その主側板１ａには、ラック８が主側板１ａ面上を所定の範囲において上下方向に往復摺動自在に装着されており、
　（１ａ）前記ラック８の構成として、ラック歯部８ａと枠状部８ｂとから構成されるタイプでは、その枠状部８ｂの長手方向の両側端に、連結孔８ｄ，８ｄが形成され、該連結孔８ｄ，８ｄ箇所にて、前面枠施錠リンク部５のリンク材５ａ及びガラス枠施錠リンク部７のリンク材７ａとピン９を介して枢支連結され、略ラック歯部８ａのみから形成されるタイプでは、前記ラック歯部８ａの長手方向の両側箇所に前面枠施錠リンク部５のリンク材５ａと、前記ガラス枠施錠リンク部７のリンク材７ａとの枢支連結部が形成され、
　（２）前記主側板１ａの長手方向の両端箇所には、前面枠施錠鉤部４がリベット，ピン等の枢支部材１３により、揺動自在に枢支連結され、その前面枠施錠鉤部４と前記ラック８との間には、前面枠施錠リンク部５が連結され、前記ラック８の往復の摺動動作に伴って前記前面枠施錠鉤部４が揺動動作するもので、
　（２ａ）前記前面枠施錠リンク部５は、前記ラック８を中心として、長手方向の長さが異なるように２つ存在し、　
　長い前面枠施錠リンク部５は、２本のリンク材５ａ，５ａが直列状に連結されて構成されたものであり、その一方側のリンク材５ａにピン９が固着され、他方側のリンク材５ａに長孔状の連結孔５ａ１ が形成されて、該連結孔５ａ１ 内を前記ピン９が摺動自在となって連結されるものであり、
　短い前面枠施錠リンク部５は、一つのリンク材５ａのみで構成され、前記一つのリンク材５ａとラック８との連結が行なわれる箇所にも長孔状の連結孔５ａ１ が形成され、前記ピン９が摺動可能となっており、
　（２ｂ）前記前面枠施錠鉤部４が起立している状態を維持する方向に付勢するようにスプリング材３が前面枠施錠リンク部５，５と施錠ベース体１との間、または前面枠施錠鉤部４と施錠ベース体１との間に掛け渡され、
　（３）前記主側板１ａの長手方向の両側箇所であって前記ラック８の装着位置の一方側に、２つのガラス枠施錠鉤部６，６がリベット，ピン等の枢支部材１３により、揺動自在となるように枢支連結され、さらに、そのガラス枠施錠鉤部６，６を揺動させるガラス枠施錠リンク部７が、前記ラック８の長手方向の一端側，すなわち両ガラス枠施錠鉤部６，６が位置している側にピン９を介してラック８に枢支連結され、　
　（３ａ）前記従側板１ｂには、前記ガラス枠施錠鉤部６の先端が挿通且つ突出するように鉤用貫通孔が形成され、
　（３ｂ）前記ガラス枠施錠リンク部７も前記前面枠施錠リンク部５と同様に、複数のリンク材７ａ，７ａ，…から構成されており、両リンク材７ａ，７ａは、前記連結孔５ａ１ と同様の長孔状の連結孔７ａ１ とピン９により連結され、
　（３ｃ）前記両ガラス枠施錠鉤部６，６は、ロック状態である直立状態を維持する方向に付勢するスプリング材３，３が施錠ベース体１との間に掛け渡され、
　（３ｄ）一方のガラス枠施錠鉤部６が鍵を使用しないで、不正な手段により強制的に開かれたとしても、前記リンク材７ａが隣接する他方側のリンク材７ａに動作を伝達せず、よって他方側のガラス枠施錠鉤部６を揺動させない仕組みとなっていることによって、２つのガラス枠施錠鉤部６，６の一方が不正に開かれても、他方のガラス枠施錠鉤部６はロック状態を維持し、ガラス枠部２３が不正に開かれないようにされ、
　（４）錠１０は、錠本体部１０ａとフランジ部１０ｂから構成され、前記錠本体部１０ａには鍵の操作により回動する錠軸１０ｃが装着され、錠本体部１０ａの外部に突出した錠軸１０ｃ先端には前記ラック８と噛み合うようにピニオン１１が装着され、前記錠軸１０ｃの回動とともに前記ピニオン１１が回動し、前記ラック８が往復摺動を行なうことができ、
　（４ａ）前記錠１０に挿入した鍵を１方向に回転させることで、鍵が錠軸１０ｃに回転を伝達し、その錠軸１０ｃに装着されたピニオン１１が回転して、ラック８を長手方向の１方側に沿って移動させ、前面枠施錠リンク部５を介して前面枠施錠鉤部４に揺動動作を伝達し、また前記鍵を前述とは反対方向に回転させることにより、ガラス枠施錠リンク部７を介して前記ガラス枠施錠鉤部６が揺動動作を行なうものであり、
　（４ｂ）前記施錠ベース体１の従側板１ｂには、錠１０の錠本体部１０ａが挿入されたときに、適正な装着ができるように案内可能なものとした錠取付貫通部１ｃが形成され、該錠取付貫通部１ｃの付近には、前記フランジ部１０ｂの取付孔に対応する位置に複数の螺子孔１ｄ，１ｄが形成され、前記錠１０の施錠ベース体１への取付は、前記錠１０のフランジ部１０ｂが前記錠取付貫通部１ｃの周囲に当接されてビス等の固着具にて固着されるものであり、
　（４ｃ）パチンコ機用枠施錠装置Ａにおける施錠ベース体１の従側板１ｂが装着される前面枠部２０には、前記錠１０の錠本体部１０ａが挿入する錠収納孔２０ａが形成され、その錠収納孔２０ａに収納された錠１０は、前記前面枠部２０の外部，すなわちガラス枠側から前記錠本体部１０ａに設けられた鍵穴が露出するようになっており、
　（５）前記ラック８の上及び下側に前面枠施錠リンク部５のリンク材５ａを配置し、前記ラック８の上側にガラス枠施錠リンク部７のリンク材７ａを配置した、　
　パチンコ機。」（以下、「先願発明１」という。）
　
　周知の刊行物である、特開平８−１３１６４２号公報（以下、「周知刊行物ア」という。）には、以下の記載がある。
　（ア−１）「【００１４】・・・また、錠穴２５には、錠装置２１０のシリンダー錠２１２が挿入されるものである。」、
　（ア−２）「【００１８】このように、透明板保持枠１３０や上皿４０の上皿取付板４１を枠基体１０に対して開閉自在であり且つ着脱自在に設けたので、弾球遊技機１の工場における組付け作業や遊技場における点検作業時を簡単に行うことができる。・・・
【００１９】（ホ）上皿
ここで、枠基体１０の下部で開閉自在に取り付けられる上皿４０の構成について図４及び図５を参照して説明すると、上皿４０は、合成樹脂製の上皿取付板４１の表面に合成樹脂製の皿部材６０と各カバー部材５０，５３とを固着することにより構成されている。・・・」、
　（ア−３）「【００２８】図４に戻って、上皿取付板４１の左右に取り付けられるカバー部材５０，５３は、各々、裏面に突設された取付ボス５２，５４が上皿取付板４１の取付穴４３に係合して裏面からビスで止着されることで、皿部材６０の左右両側に取付け固定されるようになっている。なお、カバー部材５３の開放側端部には、前記錠穴２５と連通する錠穴５６が穿設されたカバー部材５５がその裏面に突設された取付ボス５７によって前記枠基体１０に直接取り付け固定されている。」。
　（ア−４）また、上皿の分解斜視図である【図４】には、「正面右上角部に切欠きが形成される、カバー部材５３」が示されている。
　　
　周知の刊行物である、特開平８−１０７９７０号公報（以下、「周知刊行物イ」という。）には、以下の記載がある。
　（イ−１）「【００１５】・・・また、錠穴２５には、錠装置１９０のシリンダー錠１９２が挿入されるものである。」、
　（イ−２）「【００１８】次に、上皿４０の取付基板４１の着脱構造について説明すると、図２に示すように、取付基板４１は、その軸支側上端に支点穴４２が設けられる一方、軸支側下端には、後述するカバー部材５１の支点穴５２が設けられている。しかして、上端の支点穴４２を中ヒンジ部材２６のヒンジピン２８の下部突設側に差し込み、その状態で下部の支点穴５２と下ヒンジ部材２７の係合穴２７ａとに図示しないスプリングで付勢されるヒンジピンを差し込むことで、上皿４０の取付基板４１が枠基体１０に開閉自在に軸支される。・・・
【００１９】このように、透明板保持枠１３０や上皿４０の取付基板４１を枠基体１０に対して開閉自在であり且つ着脱自在に設けたので、弾球遊技機１の工場における組付け作業や遊技場における点検作業時を簡単に行うことができる。・・・
【００２０】（１−４）上皿
ここで、取付基板４１に取着固定される上皿４０の構成について図４を参照して説明すると、上皿４０は、合成樹脂製の取付基板４１の表面に合成樹脂製の皿部材４７と各カバー部材５１・５４とを固着することにより構成されている。・・・また、カバー部材５１・５４は、各々、裏面に突設された取付ボス５３・５５が取付基板４１の取付穴４３に係合されることで、皿部材４７の左右両側に取付け固定されるようになっている。なお、カバー部材５４の開放側端部には、前記錠穴２５と連通する錠穴５７が穿設されたカバー部材５６が前記枠基体１０に取付け固定されている。」。
　（イ−３）また、上皿の分解斜視図である【図４】には、「正面右上角部に切欠きが形成される、カバー部材５４」が示されている。
　　
　（い）本願補正発明１と先願発明１との比較・検討
　（い−１）先願発明１の「パチンコ機」は、本願補正発明１の「遊技機」に相当し、
　以下同様に、「機枠１９」は「遊技機の外郭を構成する基枠」に、
　「開閉自在」は「開閉可能」に、
　「前面枠部２０」は「第１開閉枠」に、
　「ガラス枠部２３」は「第２開閉枠」に、
　「パチンコ機用枠施錠装置Ａ」は、「パチンコ機の前面枠とガラス枠とをそれぞれ施錠するものであって」、「前面枠部２０の裏面側に装着される」ものであるから、「（前記）第１開閉枠に設けられ、第１開閉枠を（前記）基枠に及び（前記）第２開閉枠を第１開閉枠にそれぞれ施錠する施錠装置」に、
　「板状に形成された従側板１ｂ」は「縦長矩形状の基板部」に、
　「錠取付貫通部１ｃ」は「貫通孔」に、
　「鍵」は「鍵部材」に、
　「鍵穴」は「鍵孔」に、
　「錠１０」は「錠部」に、
　「錠本体部１０ａの外部に突出した錠軸１０ｃ」は「錠部の裏面から後方へ突出された回動軸」に、
　「ピニオン１１」は「セクターギヤ」に、
　「ラック８」は、「主側板１ａ面上を所定の範囲において上下方向に往復摺動自在に装着されて」いるから、「上下方向にスライド可能とされた矩形平板状のラック」に、
　「前面枠施錠鉤部４」は、「主側板１ａの長手方向の両端箇所に揺動自在に枢支連結され」ているから、「一対の第１係合部材」に、
　「前面枠施錠リンク部５」は、「ラック８の枠状部８ｂの長手方向の両側端に、連結孔８ｄ，８ｄが形成され、該連結孔８ｄ，８ｄ箇所にて、前面枠施錠リンク部５のリンク材５ａ及びガラス枠施錠リンク部７のリンク材７ａとピン９を介して枢支連結され」、「ラック８を中心として、２つ存在」するものであるから、「ラックの上端部及び下端部に連結される、第１リンク機構」に、
　「２つのガラス枠施錠鉤部６，６」は、「一対の第２係合部材」に、
　「ガラス枠施錠リンク部７」は、「ラック８の長手方向の一端側，すなわち両ガラス枠施錠鉤部６，６が位置している側にピン９を介してラック８に枢支連結され」、当該「ガラス枠施錠リンク部７のリンク材７ａ」は「ラック８の上側に配置」されているから、「ラックの上端部に連結される、第２リンク機構」に、
　「主側板１ａ」は「側板部」に、
　「施錠ベース体１」は、「従側板１ｂと該従側板１ｂの裏面視における右側端部の後方に位置した主側板１ａとから、断面形状が略直角「Ｌ」字形状に構成され」ているから、「基板部と前記基板部の裏面視における右側端部から後方へ向けて直角に屈曲されて前記基板部に一体的に設けられた側板部とを有する、ベース」に、それぞれ相当する。
　（い−２）先願発明１においては、「施錠ベース体１の従側板１ｂには、錠１０の錠本体部１０ａが挿入されたときに、適正な装着ができるように案内可能なものとした錠取付貫通部１ｃが形成され」、「施錠ベース体１の従側板１ｂが装着される前面枠部２０には、前記錠１０の錠本体部１０ａが挿入する錠収納孔２０ａが形成され、その錠収納孔２０ａに収納された錠１０は、前記前面枠部２０の外部，すなわちガラス枠側から前記錠本体部１０ａに設けられた鍵穴が露出するようになって」いるものである。ここで、「錠収納孔２０ａ」の周囲には「前面枠部２０」を構成する部分が存在することは明らかであるから、先願発明１は、本願補正発明１の「（前記）第１開閉枠の裏面に取り付けられる縦長矩形状の基板部に形成された貫通孔を通して、前記第１開閉枠に設けられた台座に取り付けられ、鍵部材が挿入される鍵孔が（前記）切欠きから露出する錠部」との技術事項とを比較すると、「（前記）第１開閉枠の裏面に取り付けられる縦長矩形状の基板部に形成された貫通孔を通して、前記第１開閉枠に設けられた台座に取り付けられ、鍵部材が挿入される鍵孔が遊技者側へ露出する錠部」において一致する。
　（い−３）施錠装置の係合部材が、被係合部材に係合して施錠作用を行うことは明らかな技術事項であるから、先願発明１の「前面枠施錠鉤部４」及び「ガラス枠施錠鉤部６」が本願補正発明１の「（前記）第１開閉枠が（前記）基枠に閉塞された状態で基枠に設けられた一対の第１固定部に係合する一対の第１係合部材」及び「（前記）第２開閉枠が（前記）第１開閉枠に閉塞された状態で前記第２開閉枠に設けられた一対の第２固定部に係合する一対の第２係合部材」にそれぞれ相当する技術事項を有していることは明らかである。また、先願発明１においては、「従側板１ｂには、（前記）ガラス枠施錠鉤部６の先端が挿通且つ突出するように鉤用貫通孔が形成され」ているから、先願発明１は、本願補正発明１の「（前記）基板部に形成された縦長のスリットを通して前方へ突出される、一対の第２係合部材」に相当する技術事項を有している。
　（い−４）先願発明１の「前面枠施錠リンク部５」及び「ガラス枠施錠リンク部７」について、まとめて検討する。
　先願発明１においては、「長い前面枠施錠リンク部５は、その一方側のリンク材５ａにピン９が固着され、他方側のリンク材５ａに長孔状の連結孔５ａ１ が形成されて、該連結孔５ａ１ 内を前記ピン９が摺動自在となって連結されるものであり」、「短い前面枠施錠リンク部５は、一つのリンク材５ａとラック８との連結が行なわれる箇所にも長孔状の連結孔５ａ１ が形成され、前記ピン９が摺動可能となっており」、「錠１０に挿入した鍵を１方向に回転させることで、前面枠施錠リンク部５を介して前面枠施錠鉤部４に揺動動作を伝達」するものである。一方先願発明１においては、「ガラス枠施錠リンク部７も前記前面枠施錠リンク部５と同様に、前記連結孔５ａ１ と同様の長孔状の連結孔７ａ１ とピン９により連結され」、「一方のガラス枠施錠鉤部６が鍵を使用しないで、不正な手段により強制的に開かれたとしても、前記リンク材７ａが隣接する他方側のリンク材７ａに動作を伝達せず、よって他方側のガラス枠施錠鉤部６を揺動させない仕組みとなっていることによって、２つのガラス枠施錠鉤部６，６の一方が不正に開かれても、他方のガラス枠施錠鉤部６はロック状態を維持し、ガラス枠部２３が不正に開かれないようにされ」、「鍵を前述とは反対方向に回転させることにより、ガラス枠施錠リンク部７を介して前記ガラス枠施錠鉤部６が揺動動作を行なうものであ」る。そうすると、連結構造において「ガラス枠施錠リンク部７」と同様の構成から成る「前面枠施錠リンク部５」もまた「施錠鉤部の一方が不正に開かれても、他方の施錠鉤部はロック状態を維持し、枠部が不正に開かれないようにされ」る機能を有していることは明らかであるから、先願発明１は本願補正発明１の「（前記）一対の第１固定部に係合した（前記）一対の第１係合部材の各々の係合状態を保持し、且つ、（前記）錠部が（前記）鍵部材によって所定の解錠操作をされることにより前記一対の第１係合部材を連動させて前記一対の第１固定部に対する各々の係合状態を解除するとともに、一対の第１係合部材の一方が単独で係合解除操作されても他方は連動させずに係合状態を保持する第１リンク機構」及び「（前記）一対の第２固定部に係合した（前記）一対の第２係合部材の各々の係合状態を保持し、且つ、（前記）錠部が（前記）鍵部材によって前記所定の解錠操作とは異なる他の所定の解錠操作をされることにより前記一対の第２係合部材を連動させて前記一対の第２固定部に対する各々の係合状態を解除するとともに、一対の第２係合部材の一方が単独で係合解除操作されても他方は連動させずに係合状態を保持する第２リンク機構」に相当する技術事項を有している。
　（い−５）先願発明１においては、「施錠ベース体１は、従側板１ｂと主側板１ａとから構成され、その主側板１ａには、ラック８が装着されており」、「主側板１ａの長手方向の両端箇所には、前面枠施錠鉤部４が揺動自在に枢支連結され、その前面枠施錠鉤部４と前記ラック８との間には、前面枠施錠リンク部５が連結され」、「主側板１ａの長手方向の両側箇所であって前記ラック８の装着位置の一方側に、２つのガラス枠施錠鉤部６，６が揺動自在となるように枢支連結され、さらに、そのガラス枠施錠鉤部６，６を揺動させるガラス枠施錠リンク部７が、前記ラック８の長手方向の一端側，すなわち両ガラス枠施錠鉤部６，６が位置している側にピン９を介してラック８に枢支連結され」、「錠１０の施錠ベース体１への取付は、ビス等の固着具にて固着されるものであり」、「施錠ベース体１の従側板１ｂは前面枠部２０に装着される」ものであるから、先願発明１は本願補正発明１の「（前記）一対の第１係合部材、（前記）第１リンク機構、（前記）一対の第２係合部材、（前記）第２リンク機構、及び、（前記）錠部が組み付けられ、それらを一体化して（前記）第１開閉枠に取り付けるベース」に相当する技術事項を有している。
　　　
　そうすると、両者の一致点及び相違点は次のとおりである。
　
　一致点
　遊技機の外郭を構成する基枠と、
　前記基枠に開閉可能に設けられた第１開閉枠と、
　前記第１開閉枠に開閉可能に設けられた第２開閉枠と、
　前記第１開閉枠に設けられ、第１開閉枠を前記基枠に及び前記第２開閉枠を第１開閉枠にそれぞれ施錠する施錠装置と、
　を備えた遊技機であって、
　前記施錠装置は、
　前記第１開閉枠の裏面に取り付けられる縦長矩形状の基板部に形成された貫通孔を通して、前記第１開閉枠に設けられた台座に取り付けられ、鍵部材が挿入される鍵孔が遊技者側へ露出する錠部と、
　前記錠部の裏面から後方へ突出された回動軸の先端に設けられたセクターギヤと、
　前記セクターギヤと噛み合い上下方向にスライド可能とされた矩形平板状のラックと、
　前記第１開閉枠が前記基枠に閉塞された状態で基枠に設けられた一対の第１固定部に係合する一対の第１係合部材と、
　前記ラックの上端部及び下端部に連結され、前記一対の第１固定部に係合した前記一対の第１係合部材の各々の係合状態を保持し、且つ、前記錠部が前記鍵部材によって所定の解錠操作をされることにより前記一対の第１係合部材を連動させて前記一対の第１固定部に対する各々の係合状態を解除するとともに、一対の第１係合部材の一方が単独で係合解除操作されても他方は連動させずに係合状態を保持する第１リンク機構と、
　前記第２開閉枠が前記第１開閉枠に閉塞された状態で、前記基板部に形成された縦長のスリットを通して前方へ突出されるとともに前記第２開閉枠に設けられた一対の第２固定部に係合する一対の第２係合部材と、
　前記ラックの上端部に連結され、前記一対の第２固定部に係合した前記一対の第２係合部材の各々の係合状態を保持し、且つ、前記錠部が前記鍵部材によって前記所定の解錠操作とは異なる他の所定の解錠操作をされることにより前記一対の第２係合部材を連動させて前記一対の第２固定部に対する各々の係合状態を解除するとともに、一対の第２係合部材の一方が単独で係合解除操作されても他方は連動させずに係合状態を保持する第２リンク機構と、
　前記基板部と前記基板部の裏面視における右側端部から後方へ向けて直角に屈曲されて前記基板部に一体的に設けられた側板部とを有し、前記一対の第１係合部材、前記第１リンク機構、前記一対の第２係合部材、前記第２リンク機構、及び、前記錠部が組み付けられ、それらを一体化して前記第１開閉枠に取り付けるベースと、
　を有する、遊技機。　
　
　相違点
　錠部が、本願補正発明１では、第２開閉枠の下側で開閉可能となるように第１開閉枠に設けられ、遊技球を貯える球皿を備える、パネル部材の、正面右上角部に形成される切欠きから露出するのに対し、先願発明１では、第２開閉枠（ガラス枠）側から露出する点。
　　　
　そこで、上記相違点について検討する。
　
　第２開閉枠の下側で開閉可能となるように第１開閉枠に設けられ、遊技球を貯える球皿を備える、パネル部材の、正面右上角部に形成される切欠きから露出する錠部は、例えば、周知刊行物アに記載された「パネル部材（上皿取付板４１）の、正面右上角部に形成される切欠きから露出する錠部（シリンダー錠２１２）」、及び周知刊行物イに記載された「パネル部材（上皿４０の取付基板４１）の、正面右上角部に形成される切欠きから露出する錠部（シリンダー錠１９２）」のように周知・慣用の技術であり、これによって新たな効果を奏するものではないから、先願発明１の「第２開閉枠側から露出する錠部」を「切欠きから露出する錠部」とし、当該相違点に係る構成とすることは、当業者が適宜採用できる設計上の微差に過ぎない。
　　　　　　　　
　よって、本願補正発明１は、先願明細書等に記載された発明と同一であり、しかも、本願の発明者がその出願前の他の特許出願に係る発明をした者と同一ではなく、また本出願の時において、その出願人が上記他の特許出願の出願人と同一でもないので、特許法第２９条の２第１項の規定により、特許出願の際独立して特許を受けることができないものである。
　
　　（う）補正却下の決定のむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　　  　　　
第三、本願発明について
　平成２２年５月２４日付けの手続補正は上記のとおり却下されることとなったので、本願の請求項１及び２に係る発明は、上記平成２１年１２月１６日付けで補正された特許請求の範囲の記載からみて、その請求項１及び２に記載されたとおりのものと認められるところ、その請求項１に記載された発明（以下、「本願発明１」という。）は、前記「第二、［理由］（１）補正前・後の本願発明」に補正前として記載したとおりである。
　
　（ア）先願明細書、特許請求の範囲又は図面に記載された発明及び周知刊行物に記載された発明
　原査定の拒絶理由に引用され、本願の出願日前の他の出願であって、その出願後に出願公開された、先願明細書等（特願２００４−１５８４６０号の願書に最初に添付された明細書、特許請求の範囲又は図面）、及び周知刊行物ア（特開平８−１３１６４２号公報）、並びに周知刊行物イ（特開平８−１０７９７０号公報）に記載された事項は前記「第二、［理由］（２）（あ）先願明細書、特許請求の範囲又は図面に記載された発明及び周知刊行物に記載された発明」に記載された事項と同様であるから、援用する。
　
　（イ）本願発明１と先願発明１との対比・判断
　本願補正発明１は、前記「第二、［理由］（１）補正前・後の本願発明」で検討したように、
　ａ）本願発明を特定するために必要な事項である「錠部」の取付け状態について、「
第１開閉枠の裏面に取り付けられる縦長矩形状の基板部に形成された貫通孔を通して、
　ｂ）同「第１リンク機構」の連結態様について、「ラックの
上端部及び下端部
　ｃ）同「第２係合部材」の構成について、「
基板部に形成された縦長のスリットを通して前方へ突出されるとともに
　ｄ）同「第２リンク機構」の連結態様について、「ラックの
上端部
　ｅ）同「ベース」の構成について、「
基板部と前記基板部の裏面視における右側端部から後方へ向けて直角に屈曲されて前記基板部に一体的に設けられた側板部とを有し、
　そうすると、本願補正発明１は、本願発明１の発明特定事項を全て含み、さらに他の発明特定事項を付加したものに相当するものであって、その本願補正発明１が、前記「第二、［理由］（２）（い）本願補正発明１と先願発明１との比較・検討」に記載したとおり、先願明細書等に記載された発明と同一であるから、本願発明１も、同様の理由により、先願明細書等に記載された発明と同一である。
　
　（ウ）むすび
　以上のとおり、本願発明１は、先願明細書等に記載された発明と同一であり、しかも、本願の発明者がその出願前の他の特許出願に係る発明をした者と同一ではなく、また本出願の時において、その出願人が上記他の特許出願の出願人と同一でもないので、特許法第２９条の２第１項の規定により、特許を受けることができないものであって、本願の他の請求項に係る発明について検討するまでもなく、本願は拒絶すべきものである。
　よって、結論のとおり審決する。